(57)【要約】【課題】ランプ装置16が発生する熱の放熱性を向上できる照明装置11を提供する。【解決手段】設置用のシャーシ13に別の放熱体14を支持し、放熱体14にソケット装置15を取り付け、このソケット装置15により放熱体14に対して熱伝導可能にランプ装置16を保持する。ランプ装置16の発生する熱を放熱体14に対して効率よく熱伝導し、放熱体14から効率よく放熱し、放熱性を向上させる。【選択図】図１
2010157378.tif 000002
【特許請求の範囲】
【請求項１】
被取付体への取付部を有するシャーシと；
このシャーシに支持される放熱体と；
放熱体に対して熱伝導可能にランプ装置を保持するとともにランプ装置に電源を供給するソケット装置と；
を具備していることを特徴とする照明装置。
【請求項２】
シャーシと放熱体との間に外方に連通する空間部が形成されている
ことを特徴とする請求項１記載の照明装置。
【請求項３】
ソケット装置に、ＬＥＤを光源とするランプ装置が装着されている
ことを特徴とする請求項１または２記載の照明装置。
【発明の詳細な説明】
【技術分野】
【０００１】
本発明は、放熱構造を有する照明装置に関する。
【背景技術】
【０００２】
従来、ＩＥＣ（国際電気標準会議）で規格されたＧＸ５３形の口金部を用いたランプ装置がある。このランプ装置は、扁平状で、その上面側にＧＸ５３形の口金部が設けられ、下面側には光源として平面形の蛍光ランプが配置され、口金部の内側に蛍光ランプを点灯させる点灯回路が収容され、上面側と下面側とのなす高さ方向の寸法が小さい薄形に構成されている。
【０００３】
口金部の上面には、ランプ装置の高さ方向を軸方向として、先端に径大部を有する一対のランプピンが突出されている。このランプピンを利用して、器具本体に取り付けられているソケット装置に着脱可能に装着するとともに、ソケット装置側から電源の供給を受けるように構成されている（例えば、特許文献１参照。）。
【特許文献１】特開２００７−１５７３６７号公報（第５−８頁、図１−２）
【発明の開示】
【発明が解決しようとする課題】
【０００４】
ランプ装置の点灯時には光源が発熱するため、放熱が必要であり、口金部からの放熱も有効である。
【０００５】
従来の照明装置では、ランプ装置の口金部をソケット装置に装着した状態において、取付構造上、口金部の外部に露出する面積が少なくなるために放熱性が低下する問題がある。
【０００６】
本発明は、このような点に鑑みなされたもので、ランプ装置が発生する熱の放熱性を向上できる照明装置を提供することを目的とする。
【課題を解決するための手段】
【０００７】
請求項１記載の照明装置は、被取付体への取付部を有するシャーシと；このシャーシに支持される放熱体と；放熱体に取り付けられ、放熱体に対して熱伝導可能にランプ装置を保持するとともにランプ装置に電源を供給するソケット装置と；を具備しているものである。
【０００８】
シャーシは、天井面や壁面などの被取付体への取り付けが可能な取付部を有している。
【０００９】
放熱体は、例えば、アルミニウムなどの熱伝導に優れた金属製材料で構成される。放熱体の周辺部に立上部を設ければ、シャーシを隠蔽できるとともに、立上部からの放熱性も得られる。
【００１０】
ソケット装置は、例えば、ＧＸ５３形などの口金部を有するランプ装置を装着可能とする。このランプ装置に対応したソケット装置の場合、中央部にランプ装置を挿通する挿通孔があり、この挿通孔を通じてランプ装置の口金部を熱伝導可能に接触させることが可能となる。熱伝導可能に接触させるには、例えば、伝熱シートや熱伝導部材を介在させたり、放熱体に対して口金部を弾性的に接触するようにして密着するのが好ましいが、接触の方法はこれらに限定されない。
【００１１】
請求項２記載の照明装置は、請求項１記載の照明装置において、シャーシと放熱体との間に外方に連通する空間部が形成されているものである。
【００１２】
空間部を形成することによって通気が良好になり放熱性を向上させることができる。例えば、空間部の位置に対応して放熱体に通気口を設ければ、空気が流れやすくなり、対流による放熱性を向上できる。
【００１３】
請求項３記載の照明装置は、請求項１または２記載の照明装置において、ソケット装置に、ＬＥＤを光源とするランプ装置が装着されているものである。
【００１４】
ランプ装置は、例えば、ＧＸ５３形などの口金部を有する。口金部から放熱体への熱伝導性を向上させるためには、例えば、口金部を金属製としたり、放熱体との間に別の熱伝導部材を介在させる。
【発明の効果】
【００１５】
請求項１記載の照明装置によれば、シャーシに別の放熱体を支持するとともに、ソケット装置により放熱体に対して熱伝導可能にランプ装置を保持するため、ランプ装置の発生する熱を放熱体に効率よく熱伝導し、この放熱体から効率よく放熱することができ、放熱性を向上できる。
【００１６】
請求項２記載の照明装置によれば、請求項１記載の照明装置の効果に加えて、シャーシと放熱体との間に外方に連通する空間部を形成しているため、放熱体からの放熱性能を向上できる。
【００１７】
請求項３記載の照明装置によれば、請求項１または２記載の照明装置の効果に加えて、ＬＥＤを光源とするランプ装置が装着されても、十分な放熱性を得ることができる。
【発明を実施するための最良の形態】
【００１８】
以下、本発明の一実施の形態を、図面を参照して説明する。
【００１９】
図１は照明装置の分解状態の斜視図、図２は照明装置の組立状態の側面図、図３は照明装置のソケット装置の斜視図である。
【００２０】
照明装置11は、例えば天井直付け形照明装置であり、天井面などの設置面12に設置される装置長手方向に沿って細長いシャーシ13、このシャーシ13の下面に取り付けられる放熱体14、この放熱体14の下面に装置長手方向に並んで取り付けられる複数のソケット装置15、これら各ソケット装置15に装着される複数のランプ装置16を備えている。
【００２１】
シャーシ13は、例えば、アルミニウムなどの熱伝導に優れた金属板を所定の形状に折り曲げて形成されており、放熱体14が接合される平板状の接合面部21が装置長手方向の全域にわたって形成され、この接合面部21の装置長手方向に対して交差する装置短手方向の両側辺から上方へ略Ｌ字形の取付片部22が折り曲げ形成されている。
【００２２】
接合面部21の両端近傍には放熱体14を取り付けるためのねじ23が螺着するねじ取付孔24が形成され、接合面部21の中央にはソケット装置15に接続する電源ケーブル25を通すための電源ケーブル挿通孔26が形成されている。
【００２３】
取付片部22には、被取付体としての天井面12に螺着して取り付ける取付部としての複数のねじ27を通す複数のねじ挿通孔28が形成されている。
【００２４】
また、放熱体14は、例えば、アルミニウムなどの熱伝導に優れた金属板を所定の形状に折り曲げて形成されおり、平板状の基板部31、この基板部31の装置短手方向の両側辺から上方へ立ち上がるように折曲された側壁部32を有している。
【００２５】
基板部31の両端近傍にはシャーシ13に取り付けるためのねじ23を通すねじ挿通孔33が形成され、これら両端近傍のねじ挿通孔33より装置長手方向の中央寄り位置にソケット装置15をねじ34で取り付けるためのねじ取付孔35が形成され、基板部31の中央部には電源ケーブル25を通すための電源ケーブル挿通孔36が形成されている。基板部31の装置短手方向の両側近傍には通気口37が形成されている。
【００２６】
照明装置11の設置状態では、放熱体14とシャーシ13の装置短手方向の両側との間に空間部38が形成され、側壁部32の先端部とシャーシ13との間および天井面12との間には空間部38に連通する開口部39が形成されている。空間部38の下側位置に対応して、放熱体14に通気口37が形成されている。
【００２７】
側壁部32の立上高さは、照明装置11の設置状態で斜め下方から見てシャーシ13が見えない寸法でかつ所定幅の開口部39を形成する寸法としている。
【００２８】
なお、放熱体14の装置長手方向の端面には、放熱性の向上の観点からは開口していてもよいが、別のカバーを取り付けてシャーシ13などが見えないように閉塞してもよい。
【００２９】
また、ソケット装置15は、絶縁性を有する合成樹脂製で円筒状のソケット装置本体41を有し、このソケット装置本体41の中央には挿通孔42が上下方向に貫通形成されている。
【００３０】
ソケット装置本体41の下面には、ソケット装置本体41の中心に対して対称位置に、一対のソケット部43が形成されている。これらソケット部43には、接続孔44が形成されているとともに、この接続孔44の内側に電源供給する図示しない受金が配置されている。接続孔44は、ソケット装置本体41の中心に対して同心円となる円弧状の長孔であり、この長孔の一端には拡径部45が形成されている。
【００３１】
ソケット装置本体41には、ねじ34で放熱体14に取り付けるためのねじ挿通孔46が形成されている。なお、ソケット装置本体41は、ランプ装置16が放熱体14に対して熱伝導可能に保持するものであれば、シャーシ13側へ取り付けられる構造であってもよい。
【００３２】
ソケット装置15には、シャーシ13の電源ケーブル挿通孔26および放熱体14の電源ケーブル挿通孔36に挿通された電源ケーブル25が配線され、接続孔44の内側に配置される受金に電気的に接続されている。
【００３３】
ソケット装置15は、少なくとも一部を熱伝導性に優れた金属材料で構成し、装着されたランプ装置16からの熱を放熱体14へ効率よく熱伝導可能とする熱伝導機能を有していてもよい。
【００３４】
また、ランプ装置16は、一面側である上面側に配置される口金部51、この口金部51の他面側である下面側に配置されるＬＥＤ基板52、このＬＥＤ基板52を覆うグローブ53、および口金部51内に配置された点灯回路54を備え、高さ方向の寸法が小さい薄形に形成されている。
【００３５】
口金部51は、ＧＸ５３形に形成されており、ソケット装置15の下面に当接する環状の当接面55が形成され、この当接面55の中央からソケット装置15の挿通孔42に挿通する円柱状の突出部56が突出されている。突出部56の先端面には、口金部51をソケット装置15に装着することにより放熱体14に対して熱伝導可能に接触する端面部57が形成されている。口金部51をソケット装置15に装着したときに放熱体14への熱伝導性を向上させるために、端面部57の外表面に、平滑度を高める研磨などの表面処理が施されたり、ゲル状材料や放熱シートなどの柔軟性または弾力性がありかつ熱伝導性に優れた熱伝導部材が配置されていてもよい。あるいは、突出部56が突出方向に進退可能とし、スプリングなどによって突出方向に付勢することにより、口金部51をソケット装置15に装着することで突出部56の端面部57が放熱体14に圧着するように構成されていてもよい。
【００３６】
口金部51の当接面55には、ランプ装置16の中心に対して対称位置に、導電性を有する金属製の一対のランプピン58が突出されている。これらランプピン58の先端部に径大部59が形成されている。そして、ランプ装置16をソケット装置15に装着する際、各ランプピン58の径大部59がソケット装置15の各接続孔44の拡径部45から挿入され、ランプ装置16の回動にてランプピン58が接続孔44に移動することにより、ランプピン58の径大部59の周面が接続孔44の内側に配置される受金に電気的に接続されるとともに、径大部59が接続孔44の縁部に引っ掛かって、ランプ装置16がソケット装置15に保持される。
【００３７】
また、ＬＥＤ基板52は、例えばアルミニウムなどの金属製で円盤状の基板61の下面に絶縁層を介して配線パターンが形成され、この配線パターン上に複数のＬＥＤ62が接続配置されている。基板61は、口金部51の下面に対して熱伝導可能に接触されている。
【００３８】
また、グローブ53は、透光性を有する透明あるいは光拡散性を有するガラスや合成樹脂により形成されている。
【００３９】
また、点灯回路54は、図示しないが、回路基板、およびこの回路基板に実装された複数の点灯回路部品を有し、回路基板の入力部とランプピン58とがリード線などで電気的に接続され、回路基板の出力部とＬＥＤ基板52とがリード線などで電気的に接続されている。
【００４０】
そして、照明装置11を設置するには、まず、シャーシ13の取付片部22を天井面12にねじ27で固定し、このシャーシ13の接合面部21に放熱体14をねじ23で取り付ける。シャーシ13の電源ケーブル挿通孔26および放熱体14の電源ケーブル挿通孔36に予め通しておいた電源ケーブル25を、放熱体14の下面に予め取り付けられている各ソケット装置15に接続する。各ソケット装置15にはランプ装置16を装着する。
【００４１】
照明装置11の設置状態では、放熱体14とシャーシ13との装置短手方向の両側との間に空間部38が形成され、放熱体14の側壁部32の先端部とシャーシ13との間および天井面12との間には空間部38に連通する開口部39が形成され、放熱体14の通気口37が空間部38に連通される。
【００４２】
また、ソケット装置15に装着されたランプ装置16は、放熱体14に対して直接的にあるいは間接的に熱伝導可能に接続される。例えば、直接的には、口金部51の突出部56の端面部57が放熱体14の下面に熱伝導可能に接触する。このとき、上述したように、口金部51から放熱体14への熱伝導性を向上させるために、突出部56の端面部57に平滑度を高める表面処理が施されたり、柔軟性または弾力性がありかつ熱伝導性に優れた熱伝導部材が配置されたり、あるいは、突出部56の端面部57が放熱体14に圧着するように構成されている。また、間接的には、ソケット装置15を介して口金部51から放熱体14に熱伝導可能に接続される。
【００４３】
そのため、ランプ装置16の点灯時には、ＬＥＤ62から発生する熱が口金部51から放熱体14に効率よく熱伝導され、この放熱体14に熱伝導された熱が放熱体14から放熱される。
【００４４】
放熱体14から放熱は、放熱体14の外表面の温度が上昇することで空気の対流が発生し、この放熱体14の外表面を流れる空気の対流によって放熱体14の熱が空気中に放熱される。このとき、放熱体14の基板部31の両側に側壁部32を形成しているため、放熱体14の表面積が増加し、この側壁部32からも放熱される。
【００４５】
さらに、放熱体14とシャーシ13との装置短手方向の両側との間に空間部38に臨む放熱体14の内表面の温度が上昇することで、外部の空気が放熱体14の通気口37、または装置長手方向の開口部分から空間部38へと流れ、この空間部38内の空気が放熱体14の側壁部32の先端部とシャーシ13との間および天井面12との間の開口部39、または装置長手方向の開口部分から外部へと流れる空気の対流が発生し、この放熱体14の内表面を流れる空気の対流によって放熱体14の熱が空気中に放熱される。
【００４６】
さらに、放熱体14がシャーシ13にも熱伝導可能に接続されていることから、シャーシ13からも放熱される。
【００４７】
したがって、シャーシ13に別の構造体である放熱体14を支持するとともに、ソケット装置15により放熱体14に対して熱伝導可能にランプ装置16を保持するため、ランプ装置16の発生する熱を放熱体14に効率よく熱伝導し、この放熱体14から効率よく放熱することができ、放熱性を向上できる。
【００４８】
そのため、ＬＥＤ62を光源とする複数のランプ装置16を配置した照明装置11であっても、十分な放熱性が得られ、ＬＥＤ62を光源とする複数のランプ装置16を配置した照明装置11を実現できる。
【００４９】
また、シャーシ13と放熱体14との間に外方に連通する空間部38を形成しているため、放熱体18からの放熱性能を向上できる。
【００５０】
なお、放熱体14に配置するソケット装置15およびランプ装置16は、２つに限らず、３つ以上としてもよい。放熱体14の形状は、配置するソケット装置15およびランプ装置16の数や意匠性に応じて、四角形、多角形、円形などのいずれでも構わない。また、放熱体14には、ソケット装置15およびランプ装置16を１つずつのみ配置するようにしてもよい。
【図面の簡単な説明】
【００５１】
【図１】本発明の一実施の形態を示す照明装置の分解状態の斜視図である。
【図２】同上照明装置の組立状態の側面図である。
【図３】同上照明装置のソケット装置の斜視図である。
【符号の説明】
【００５２】
11    照明装置
12    被取付体としての天井面
13    シャーシ
14    放熱体
15    ソケット装置
16    ランプ装置
27    取付部としてのねじ
38    空間部
62    ＬＥＤ
【図１】
2010157378.tif 000003
【図２】
2010157378.tif 000004
【図３】
2010157378.tif 000005